(57)【特許請求の範囲】
【請求項１】
少なくとも１つの放出穴を含むコンテナ体と、
コンテナ体内部壁に沿って結合される冷却アセンブリとを含み、前記冷却アセンブリは、
冷却媒体を中に備える冷却ハウジング体と、
エージェントカップシートとを備え、
前記コンテナ体内部壁に沿って結合されたエージェントアセンブリを備え、前記エージェントアセンブリは、
消防エージェント発生体を内部に備えるエージェントカップと、
前記エージェントカップの端近傍のエージェントカップフィッティングとを備え、
前記コンテナ体内部壁と、少なくとも１つの前記冷却ハウジング体と前記エージェントカップとの間に伸びる複数の間隔部材を備え、前記冷却ハウジング体と前記エージェントカップの双方は、前記コンテナ体内部壁から、前記複数の間隔部材によって離されており、
前記コンテナ体内部壁と前記複数の間隔部材間に結合される絶縁層を備え、前記絶縁層の一部は、１以上の前記間隔部材と前記コンテナ体内部壁間にクランプされており、
前記冷却ハウジング体は、前記エージェントカップと前記少なくとも１つの放出穴の間の前記コンテナ体内に配置される、
ことを特徴とする消防装置。
【請求項２】
前記複数の間隔部材と、前記１以上の前記間隔部材と前記コンテナ体間にクランプされる前記絶縁層は、前記冷却ハウジング体と前記エージェントカップを前記コンテナ体内に固定する、ことを特徴とする請求項１に記載の消防装置。
【請求項３】
前記クランプされた絶縁層と、前記１以上の間隔部材は、前記冷却ハウジング体と前記エージェントカップを前記コンテナ体内で中心に置くことを特徴とする請求項１または２のいずれか１項に記載の消防装置。
【請求項４】
前記絶縁層の前記一部は、前記１以上の間隔部材と前記コンテナ体間に圧縮されており、１以上の前記冷却ハウジング体あるいは前記エージェントカップは、前記１以上の間隔部材によって、前記絶縁層の大部分と圧縮されて結合しないようにされている、ことを特徴とする請求項１〜３のいずれか１項に記載の消防装置。
【請求項５】
前記エージェントカップは、カップ実装フランジを含み、前記絶縁層の他の部分は、前記カップ実装フランジと前記コンテナ体内部壁間にクランプされている、ことを特徴とする請求項１〜４のいずれか１項に記載の消防装置。
【請求項６】
前記エージェントカップは、前記エージェントカップフィッティングと、前記冷却媒体上に伸びる前記冷却アセンブリのスクリーンによって、間に形成される燃焼室ギャップによって、前記冷却媒体から離されていることを特徴とする請求項１〜５のいずれか１項に記載の消防装置。
【請求項７】
前記消防エージェント発生体と前記コンテナ体に結合された封止キャップとの間に介在する圧力パッドを備え、前記圧力パッドは、前記エージェントアセンブリと前記コンテナ体内の前記冷却アセンブリを軸方向に固定し、１以上の前記圧力パッド、前記複数の間隔部材、あるいは、前記クランプされた絶縁層は、前記エージェントアセンブリと、前記コンテナ体内の前記冷却アセンブリを固定する、ことを特徴とする請求項１〜６のいずれか１項に記載の消防装置。
【請求項８】
前記消防エージェント発生体内に配置された発火アセンブリを備え、
前記発火アセンブリは、変形可能な熱トリガを含み、前記変形可能な熱トリガの少なくとも一部は、特定の温度で変形し、前記消防エージェント発生体を発火させることを特徴とする請求項１〜７のいずれか１項に記載の消防装置。
【請求項９】
消防装置を製造する方法であって、
冷却コンテナ体内で冷却アセンブリを位置決めし、
前記冷却アセンブリ内に、消防エージェント発生体を含むエージェントカップを配置し、
前記コンテナ体内部壁と、１以上の前記冷却アセンブリあるいは前記エージェントカップとの間に伸びる間隔部材を用いて、前記コンテナ体内部壁から、１以上の前記冷却アセンブリあるいは前記エージェントカップを離して配置し、
前記コンテナ体内部壁と前記間隔部材間の絶縁層をクランプすることにより、前記コンテナ体内部壁に沿って、１以上の前記冷却アセンブリあるいは前記エージェントカップを固定する、ことを特徴とする方法。
【請求項１０】
１以上の前記冷却アセンブリあるいは前記エージェントカップを離して配置することは、前記冷却アセンブリから伸びる前記間隔部材を用いて、前記コンテナ体内部壁から前記冷却アセンブリを離して配置し、
前記コンテナ体内部壁から前記エージェントカップを離して配置することを含み、前記エージェントカップは、前記冷却アセンブリから伸び、前記冷却アセンブリのエージェントカップシート内の前記エージェントカップのエージェントカップフィッティングの配置によって横方向の位置決めをする前記間隔部材に従って、離して配置されることを特徴とする請求項９に記載の方法。
【請求項１１】
１以上の前記冷却アセンブリあるいは前記エージェントカップを固定することは、前記間隔部材と前記コンテナ体内部壁間の前記絶縁層の一部をクランプすることと、
前記絶縁層の残り部分を圧縮から隔離することを含み、前記間隔部材は、１以上の前記エージェントカップあるいは、前記冷却アセンブリの冷却ハウジング体を、圧縮されて前記絶縁層と結合されないようにすることを含むことを特徴とする請求項９または１０のいずれか１項に記載の方法。
【請求項１２】
前記冷却アセンブリを組み立てることを含み、前記冷却アセンブリを組み立てることは、
冷却媒体室を含む冷却ハウジング体を形成することと、
前記冷却媒体室の第１の端の近くに第１のスクリーン支持体を形成することと、
前記冷却媒体室の第２の端の近くに第２のスクリーン支持体を形成することと、
前記冷却媒体室の前記第１の端の近くにエージェントカップシートを形成することを含むことを特徴とする請求項９〜１１のいずれか１項に記載の方法。
【請求項１３】
前記第１のスクリーン支持体を形成し、かつ、前記エージェントカップシートを形成することは、
前記第１のスクリーン支持体を形成するために、前記冷却媒体室の前記第１の端の近くの第１の変形可能なタブを湾曲させることと、
前記エージェントカップシートを形成するために、前記冷却媒体室の前記第１の端の近くの第２の変形可能なタブを湾曲させることを含み、前記第１の変形可能なタブは、前記第２の変形可能なタブに対し奥まっている、ことを特徴とする請求項１２に記載の方法。
【請求項１４】
前記間隔部材を、前記冷却アセンブリの冷却ハウジング体内に形成することを含むことを特徴とする請求項９〜１３のいずれか１項に記載の方法。
【請求項１５】
発火アセンブリを、前記エージェントカップ内の消防エージェント発生体と結合することと、少なくとも１つの発火ワイヤを、フィッティングの変形可能な部分にクランプすることを含み、前記発火アセンブリを、前記消防エージェント発生体と結合することは、前記フィッティングを、前記コンテナ体と結合される封止キャップと結合することを含むことを特徴とする請求項９〜１４のいずれか１項に記載の方法。
【発明の詳細な説明】
【技術分野】
【０００１】
＜優先権の主張＞
本特許出願は、グロス、他に対する、２０１１年６月６日出願の、発明の名称“FIRE EXTINGUISHING APPARATUS AND METHOD FOR USING THE SAME IN AN ENCLOSED COMPARTMENT,”（代理人整理番号２２０９．０１０ＰＲＶ）の米国仮特許出願番号６１／４９３，８５６に対し、35 U.S.C. Section 119(e)の下の優先権を主張し、この仮出願の全内容は、参照文献として、ここに併合される。
【０００２】
＜著作権についての注意書き＞
本特許文書の開示の部分は、著作権の保護の下にある内容を含んでいる。著作権者は、特許商標庁のファイルと記録のままに特許文書あるいは特許開示を任意の人によって複製されることに異議はないが、そうでなければ、著作権を保持する。以下の注意書きは、以下に説明されるソフトウェア及びデータに適用され、本文書の部分を形成する図面に適用される。Copyright Fireaway, LLC; Minneapolis, MN.  All Rights Reserved.
【０００３】
＜技術分野＞
本文書は、一般に、消防及び消火システム及び方法に関するが、これに限定するものではない。
【背景技術】
【０００４】
自己内蔵型消火アセンブリは、封止された空間における消火に用いられる。ある例では、当該アセンブリは、封止された空間（部屋、倉庫など）内に装備される。他の例では、当該アセンブリは、例えば、エンジン室、装置キャビネットなどを含む、ときどき、破壊的な動きや振動などを経験する場所に配置される。
【０００５】
破壊的な動きや振動などによる動力学的な力（例えば、衝突や、車両あるいは装置の動作など）が消火アセンブリに加えられ、その中のコンポーネントにダメージを与えるかもしれない。消火アセンブリへのダメージは、望まれる環境において必要とされるとき（例えば、エンジン室の火災の際）、アセンブリが機能を果たさない、あるいは、十分に動作しないことを引き起こす。
【０００６】
他の例では、上記のような動力学的力は、消火アセンブリのコンポーネントの配置を、製造されものとは変えてしまい、したがって、アセンブリの性能にネガティブに影響を与えるだろう。
【発明の概要】
【０００７】
本発明者は、数ある中で解決されるべき問題は、例えば、エンジン室を含む、ダイナミックな環境において装備されるように構成された消火アセンブリを機械的に支持することを含みうることを認識していた。ある例においては、本主題は、例えば、消防装置のコンポーネントを固定し、支持することにより、この問題に対する解決を提供することができる。本明細書で説明するように、エージェントカップは、冷却アセンブリの冷却ハウジング体内に配置される。装置のコンテナ体内部壁と１以上のエージェントカップ及び冷却ハウジング体間に伸びる間隔部材が設けられる。一例では、間隔部材は、コンテナ体内部壁と１以上のエージェントカップあるいは、冷却ハウジング体間に介在する、変形可能な絶縁層とクランプにより結合することが出来るようにする。弾力性のある絶縁層の一部の局所的な変形は、冷却ハウジング体と配置されたエージェントカップを動かなくさせる（例えば、コンテナ体に対し、横方向及び軸方向に）。更に、エージェントカップと冷却ハウジング体の絶縁層への結合は、少なくとも、発生体の割れ、粉砕などを実質的に防止する、衝撃吸収シェルを消防エージェント発生体に提供する。
【０００８】
更に、絶縁層の一部の局所的圧縮は、絶縁層が、例えば、周期的な加熱及び冷却など、装置の機能にネガティブに影響を与えるであろう区画内の時間的に続く高温及び低温から装置のコンポーネント（例えば、消防エージェント発生体、装置内の発火部品など）を、絶縁することを可能とする圧縮されていない状態に、絶縁層の残り（例えば、大部分）を維持する。別の言い方をすると、絶縁層は、温度の急激な変化を緩やかにするだろう。
【０００９】
更に、エージェントカップの冷却ハウジング体への結合は、両コンポーネントがコンテナ体内において、支持され、中心取りされることを保証する、硬く支持されたアセンブリを形成する。例えば、上記したように、間隔部材（絶縁層をクランプする）は、冷却ハウジング体を含む冷却アセンブリを支持し、中心取りさせる。エージェントカップを冷却ハウジング体と共に配置することにより、冷却ハウジング体から伸びる間隔部材は、また、それぞれ、エージェントカップとその中の消防エージェント発生体を中心取りさせ、支持する。他の例では、エージェントカップは、冷却ハウジング体の間隔部材とは別に、あるいは、加えて、間隔部材を含む。例えば、エージェントカップは、冷却ハウジング体の間隔部材と同様に、絶縁層にクランプ結合を提供するカップフランジ（例えば、くぼみ）を含む。
【００１０】
この概要は、本特許出願の主題の概要を提供することを意図している。本発明の、排他的、あるいは、網羅的説明を提供することを意図していない。詳細な説明が、本特許出願についての更なる情報を提供するために含まれる。
【図面の簡単な説明】
【００１１】
必ずしも正確なスケールを示していない図面においては、同様な参照符号は、異なる図の中で同様なコンポーネントを記述するだろう。異なる下付き文字を有する同様な参照符号は、同様なコンポーネントの異なる例を示すだろう。図面は、一般に、本文書で説明するさまざまな実施形態を例示的に示し、限定的には示さない。
【図１】消防装置の例の透視図である。
【図２】消防装置の他の例の透視図である。
【図３】図２に示される消防装置の放出端の透視図である。
【図４Ａ】図１に示される第１の例示的消防装置の放出端の透視図である。
【図４Ｂ】図１に示される第１の例示的消防装置の開放コンテナ体の透視図である。
【図５Ａ】図２に示される第２の例示的消防装置の図である。
【図５Ｂ】図２に示される第２の例示的消防装置の図である。
【図５Ｃ】図２に示される第２の例示的消防装置の図である。
【図５Ｄ】図２に示される第２の例示的消防装置の図である。
【図５Ｅ】図２に示される第２の例示的消防装置の図である。
【図６Ａ】消防エージェントを保持するエージェントカップの一例の図である。
【図６Ｂ】消防エージェントを保持するエージェントカップの一例の図である。
【図６Ｃ】消防エージェントを保持するエージェントカップの一例の図である。
【図６Ｄ】消防エージェントを保持するエージェントカップの一例の図である。
【図７Ａ】冷却アセンブリに用いられる冷却ハウジング体の一例の図である。
【図７Ｂ】冷却アセンブリに用いられる冷却ハウジング体の一例の図である。
【図７Ｃ】冷却アセンブリに用いられる冷却ハウジング体の一例の図である。
【図７Ｄ】冷却アセンブリに用いられる冷却ハウジング体の一例の図である。
【図８】消防装置の他の例の透視図である。
【図９】図８に示される消防装置の断面図である。
【図１０Ａ】冷却ハウジングの一例の上面透視図である。
【図１０Ｂ】図１０Ａの冷却ハウジングの底面透視図である。
【図１０Ｃ】図１０Ａの冷却ハウジングの側面図である。
【図１１Ａ】発火アセンブリフィッティングの一例の透視図である。
【図１１Ｂ】図１１の発火アセンブリフィッティングの断面図である。
【図１２】消防装置を作る方法の一例を示すブロック図である。
【発明を実施するための形態】
【００１２】
図１は、例えば、エンジン室などの封止された区画における使用のための消防装置１００（例えば、火を制御下に置くように構成された消火装置あるいは消防装置）の一例を示す。図示されているように、消防装置１００は、コンテナの底部１０２の一端に封止キャップ１０４を有するコンテナ体１０２を含んでいる。発火アセンブリは、例えば、つぼ状のはめ込み穴のような、フィッティング（造作、取り付け部品、付属品）１０８を介して、コンテナ体１０２内に伸びている。一例では、発火アセンブリ１０６は、発火コード、可燃性物質、システムの一部を変形あるいは融解させ、発火ピンを解放させる、特定の温度を達成させることにより、あるいは、例えば、発火ピンを解放するピン、あるいは、ストリップを引くなどの機械的動作により、トリガされる熱及び機械的発火システムを含んでいるが、これには限定されない。システムの部分的変形のための特定の温度は、約華氏１５０度から華氏５００度あるいは、それ以上の温度範囲を含んでいる。他の例では、発火アセンブリ１０６は、コンテナ体１０２内に引き込まれ、電気が印加された場合、コンテナ１０２内にペレット（小弾丸）を形成するエアロゾルを発火させるように構成された電気ワイヤ（例えば、少なくとも一対のワイヤ）を含むが、これには限定されない。任意に、フィッティング１０８は、コンテナ体１０２へ発火アセンブリ１０６を実質的に固定するための封止キャップ１０４内に設けられたくぼみに形成される。一例では、フィッティング１０８は、くぼみ内に置かれ、例えば、コンテナ体１０２内に含まれる冷却ベッドとエアロゾル生成物質あるいは、ペレット（小弾丸）を含むコンテナ体１０２の内部から実質的に隔離されているエポキシを含む。任意に、コンテナ体１０２は、当該物体の一端あるいは両端に開放端を含む。コンテナ体の両端の開放端により、封止キャップ１０４は、消防装置１００を封止するのに使われる。
【００１３】
図２は、エンジン室などの封止区画に使用されるように構成された消防装置２００の他の例を示す。図１及び２に図示され、及び更に説明される例では、封止区画において使用されると説明されるが、消防装置１００、２００は、また、部屋などの開かれた、あるいは、比較的開かれた空間、狭い空間、窓、ドアなどの開窓ユニットを含む開かれた部屋、建物の内部あるいは外部の公共領域のような開かれた空間における使用のために配置されている。例えば、消防装置２００は、装置キャビネット（例えば、ポンプ、コンプレッサ、ファン、サーバハウジングあるいはキャビネットなど）内あるいは上における配置のために構成されている。
【００１４】
図２に示されるように、消防装置２００は、コンテナ体２０２と、消防装置１００の内容物を封止するために、コンテナ体２０２の一端に配置された封止キャップ２０４を含んでいる。図２に更に示されているように、封止キャップ２０４は、コンテナ体２０２の外壁の近くにくぼみを含んでいる。一例では、封止キャップ２０４は、封止キャップ２０４をコンテナ体２０２に固定するために、例えば、コンテナ体２０２に対してキャップを回転させることにより、コンテナ体１０２と結合する。他の例では、図１に示される封止キャップ１０４は、封止キャップ１０４を固定するために、コンテナ体１０２に沿って、封止キャップ１０４のエッジを転がすことにより、コンテナ体１０２に固定される。図２を再度参照すると、消防装置２００は、つぼ状のようなはめ込み穴などのフィッティング２０８を介して、封止キャップ２０４の内部に、及び、を通って伸びる発火アセンブリ２０６を持つように示されている。前述したように、フィッティング２０８は、発火アセンブリ２０６を固定し、一方、はめ込み穴のようなフィッティング２０８（例えば、エポキシなど）は、さもなくば、冷却ベッド及びその内部のエアロゾル生成ペレットを含むが、これに限定されずに、消防装置２００の内部コンポーネントから隔離されている。
【００１５】
他の例では、コンテナ体と、消防装置１００、２００のコンポーネントは、スチール、アルミニウム、合成物、及びプラスチックを含むが、これらには限定されない、金属、ポリマー、合成物などで構成されている。本発明で説明する消防装置１００、２００は、一例では、区画ハウジングあるいは、１以上のエンジン、コンプレッサ、ポンプ、サーバなどの実体の内部に併合された、防火システム内のコンポーネントとして使用可能である。一例では、消防装置１００、２００は、エンジン区画に対するエアロゾル消防エージェントの、ある方向に向かう流れ、雲などを提供する。エアロゾル消防エージェントは、エンジン区画内、エンジン区画に隣接するフィーチャー（特徴物、主要物）やコンポーネントにおける、火及び火災被害を抑制し、あるいは、消すように形成されている。
【００１６】
図３を参照すると、コンテナ体２０２を含む消防装置２００が、図示の放出端３００を透視する形式で、再び示されている。一例では、放出端３００は、消防装置２００の前端を含んでいる。図示の通り、放出端３００は、放出端３００の周りのさまざまな位置に配置されている複数の放出穴３０２を有する面（平面、凹、凸、円錐、面からなる形状など）を含む。例えば、放出穴３０２は、含まれる放出穴３０２の数に従って、放出端３００の周りに円形パターンで配置される。図３に示される例では、５つの放出穴３０２が、消防装置２００に対して含まれている。他の例では、より多くの、あるいは、より少ない穴３０２が、消防装置２００に対して含まれている。
【００１７】
図３を再び参照すると、放出穴３０２が、放出穴３０２の内部に伸びる１以上の突出部３０４を持つように示されている。例えば、図３に示されているように、複数の突出部３０４のそれぞれは、放出穴３０２内の区間内部に伸びている。複数の突出部３０４は、コンテナ体２０２内の消防エージェント発生体（例えば、エアロゾルペレット）によって生成される消防エージェントの渦を増大させるように形成されている。消防エージェントが生成されると、それは、例えば、図３に示される、軸方向に向けられた放出穴３０２など、複数の放出穴３０２を通って配布される。放出穴３０２内に伸びる突出部３０４は、部分的に、エージェントの流れをせきとめ、放出される消防エージェントへ、増大された渦を提供する。増強された渦は、消防エージェントを急激に冷却し、対応して、エアロゾル内に細かい微粒子を生成する。エアロゾル粒子の急激な凝縮は、増強された渦による冷却によって制御される。
【００１８】
図４Ａは、前に図１に示された消防装置１００の放出端の透視図である。図示されているように、コンテナ体１０２は、コンテナ側壁４０２と放出端４００を含む。複数の放射状あるいは部分的に放射状の放出穴４０４は、コンテナ側壁４０２の周りに形成されている。図４Ａに示される例では、複数の放出穴４０４は、コンテナ体４０２の周囲の長さぐらいに配置されている。他の例では、複数の放出穴１０４は、コンテナ側壁４０２の周りの一部に配置されている。例えば、複数の放出穴４０４は、略２７０°以下の周辺の部分に沿って形成されている。他の例における複数の放出穴４０４は、略１８０度以下の周辺の部分に沿って、コンテナ側壁４０２内に形成されている。コンテナ側壁４０２の全部、あるいは、一部上に形成されている複数の放出穴４０４によって、消防装置１００は、複数の放出穴４０４の数と位置に対応して排出される消防エージェントの対応するストリームを提供するように形成されている。例えば、複数の放出穴４０４が、例えば、略１８０度の周辺の角度に沿って、コンテナ側壁４０２の周りの一部のみに配置されている場合、消防エージェントは、コンテナ体１０２から遠ざかる（例えば、エアロゾルは、必要に応じて区画内に、そして、穴４０４によって制御されるように向けられる）、対応する半球状のパターンとして生成される。任意に、放出穴４０４は、本発明の明細書で説明された渦誘導用突出部３０４を含んでいる。
【００１９】
図４Ｂは、封止キャップ１０４のない、完成前の構成の、コンテナ体１０２の他の例を示す。示されているように、コンテナ体１０２は、コンテナの側壁４０２に形成された複数の放出穴４０４を備えるコンテナ側壁４０２を含んでいる。コンテナ体１０２は、更に、消防装置１００の内部コンポーネント（消防装置２００のコンポーネントは同様に実装される）の実装と配置のための実装開口部４０６を含んでいる。実装開口部４０６は、コンテナ体１０２の内部を暴露し、コンテナ内部壁４０８を示す。図４Ｂに示されるように、コンテナ内部壁４０８は、封止キャップ１０４の一部を受けるように、実装フランジ４１０のところで終わっている。消防装置１００の封止は、例えば、消防エージェント発生体と冷却ベッドの実装の後が望ましい。以下に更に詳細を説明するように、コンテナ内部壁４０８の内部に沿って実装されるときには、消防装置１００（及び２００）のコンポーネントは、内部壁から離され、コンテナ体１０２内部で中心決めされた配置に硬く支持される。内部コンポーネントの中心位置配置は、実質的に、コンポーネントとコンテナ内部壁４０８間に介在する絶縁体の破壊を防ぐ。ここで、絶縁体は、振動、機械的衝撃などに対して、コンポーネントを確実に、硬く支持するために、コンポーネント（例えば、くぼみ、突出部、タブ、突出部など）と協同する。
【００２０】
図５Ａ〜５Ｃは，さまざまな断面、端面、側面において、消防装置２００（図３）を示す。図５Ａ及び５Ｂを参照すると、消防装置２００は、断面（透視図の断面は図５Ｂに提供されている）で示されている。コンテナ体２０２は、例えば、細かな消防微粒子物質を有するエアロゾルを生成することが可能な消防ペレットを生成するエアロゾルなどの、消防エージェント発生体５００を含む。消防エージェント発生体５００は、コンテナ体２０２内で（説明されるように、配置され、支持される）、エージェントカップ５０４内に配置される。
【００２１】
消防装置２００は、更に、消防エージェント発生体５００に隣接して配置される冷却アセンブリ５０２を含んでいる。示されるように、冷却アセンブリ５０２は、消防エージェント発生体５００を含むエージェントカップ５０４と当接するように近くに配置される冷却ハウジング５０６を備えている。図５Ａに示されるように、冷却ハウジング５０６は、たとえば、軽石、活性アルミナ、ゼオライト、セラミックスや、大理石、パンチメタル、セラミック粒子あるいはプレートなどの粉砕岩を含むが、これらには限定されない、複数の冷却媒体片５０３などの、冷却媒体５０３を含む。冷却アセンブリ５０２については、以下で更に詳述する。
【００２２】
再び、図５Ａ及び５Ｂに示されるように、冷却アセンブリ５０２は、エージェントカップ５０４の一部を受けるサイズと形状のカップシート５０８を含んでいる。エージェントカップ５０４と冷却アセンブリ５０２のそれぞれは、コンテナ体２０２内に、冷却媒体５０３と共に、消防エージェント発生体５００、エージェントカップ５０４、冷却ハウジング５０６とうまく噛み合い、位置づけするようなサイズと形状のフランジ、隆起、突出部などを含む。別の言い方をすると、それぞれのコンポーネントは、消防装置２００の他のコンポーネントに対し、例えば、消防エージェント発生体５００及び冷却媒体５０３の相対的な動きを実質的に防止するために、コンテナ内部壁４０８でうまく受けられ、結合される。
【００２３】
任意に、図５Ａ及び５Ｂに示されるように、圧力パッド５１０（例えば、一例では、セラミック絶縁材料）を、封止キャップ２０４とエージェントカップ５０４の間に設ける。圧力パッド５１０は、コンテナ体２０２内で、冷却ハウジング５０６と冷却媒体５０３と共に、エージェントカップ５０４、消防発生体５００を軸方向にうまく配置する。更に、他の例では、スペーサ５１２が、エージェントカップ内で、消防エージェント発生体５００とエージェントカップ５０４の底部のほとんどの部分の間に設けられる。エージェントカップ５０４の底部は、例えば、図５Ｃに示される複数の放出穴３０２を介した、最終的な排出のために、冷却アセンブリ５０２内に、エージェントカップ５０４から消防エージェント５００を送り込むことを可能とする穴（フィーチャ６０４）を含む。圧力パッド５１０、エージェントカップ５０４及び冷却ハウジング５０６の組み合わせは、コンテナ体１０２内で、消防装置２００のコンポーネントとうまく噛み合い、コンポーネントを静的に保持する。例えば、図示されているように、エージェントカップ５０４（発生体５００と共に）と、冷却媒体５０３を有する冷却ハウジングアセンブリ５０２は、フランジと、エージェントカップ５０４及び冷却ハウジング５０６のフィーチャーによって、コンテナ内部壁４０８から隔てられている。設けられた間隙は、消防エージェント発生体５００と冷却媒体（隣接カップとハウジングと共に）とを中央に配置し、対応して、例えば、車両事故、高温（発火ではない）などの、外部温度と動力学的力（実装後の振動や衝撃など）からコンポーネントを隔離する。
【００２４】
更に詳細に説明するように、間隙は、エージェントカップ５０４、冷却ハウジング５０６の両方とコンテナ内部壁の間に絶縁層を介在させるのにも利用される。絶縁層は、コンテナ体２０２内で、エージェントカップ５０４と冷却ハウジング５０６を軸方向に、かつ、縦方向に、固定する点負荷（くぼみ、タブ、突出部などにおいて）できつく挟み込まれ、一方、同時に、絶縁層の大部分は、完全、かつ、小さくならないようにされる。
【００２５】
前述したように消防エージェント発生体５００は、不活性ガス、不活性ガスと固体微粒子などの組み合わせを有する不活性ガス合成物を生成する合成物を含むが、これらには限定されない。消防エージェント発生体５００の一選択肢は、炭酸カリウムを有する合成物を含む。他の例では、消防エージェント発生体は、アルカリ窒化物などの酸化剤と、ジシアンジアミドなどの添加剤と、フェノールホルムアルデヒド樹脂などの可燃性バインダー組成物を含む。合成物は、一例では、樹脂を液体に溶かし、酸化剤と添加剤を混合することにより生成される。
【００２６】
図５Ａを再び参照すると、つぼ状のはめ込み穴５１４は、封止キャップ２０４内に形成されることが示される。つぼ状のはめ込み穴５１４は、一例では、発火アセンブリ２０６を消防装置２００内に固定するためのエポキシなどの、フィッティング２０８（例えば、つぼ状のはめ込み部）を受けるのを容易にするため、封止キャップ２０４に形成された圧縮された金属フィッティングである。示されるように、つぼ状のはめ込み穴５１４は、消防エージェント発生体５００と冷却媒体５０３を有する冷却アセンブリを含むが、これらには限定されない消防装置の他のコンポーネントに対し、フィッティング２０８（例えば、ワイヤシール）を実質的に隔離する。図５Ａに更に示されるように、発火アセンブリ２０６は、消防エージェント発生体５００内に配置された発火装置５０１を含む。発火装置５０１は、発火信号（例えば、電圧）、発火アセンブリの燃焼などに従って、発生体を発火させるように構成される。
【００２７】
図６Ａ及び６Ｂは、図５Ａ及び５Ｂに示されたエージェントカップ５０４のそれぞれの図を示す。示されるように、エージェントカップ５０４は、図５Ａ及び５Ｂに示される消防エージェント発生体５００を受けるサイズと形状をしている。図６Ａに示されるように、エージェントカップ５０４は、コンテナ体２０２内にうまく受けられるような、サイズと形状のカップ実装フランジ６００を含む。一例では、カップ実装フランジ６００は、説明したように、コンテナ体２０２から、エージェントカップ５０４の残りと発生体５００を、間隔をあけ、支持し、隔離するのをアシストする。更に、エージェントカップ５０４は、対向する端で、冷却ハウジング５０６のカップシート５０８内に受けるためのサイズと形状を有するカップフィッティング６０２を含む。前述したように、カップシート５０８内のカップフィッティング６０２の結合は、冷却ハウジング５０６に対し、エージェントカップ５０４をうまく位置づけ、消防装置２００内に両コンポーネントを静的に配置可能とする。図６Ａに更に示されるように、カップ放出穴６０４は、図５Ａ及び５Ｂに示される冷却アセンブリ５０２へ、エージェントカップ５０４内から、消防エージェントを排出するために設けられる。
【００２８】
図７Ａ−７Ｄは、図５Ａ−５Ｃに示され、説明された冷却ハウジング５０６のさまざまな図を示している。図７Ａ，Ｂは、それぞれスクリーン７００の実装後の、冷却ハウジング５０６の透視図と側面図である。図７Ｃ，Ｄは、それぞれスクリーン７００の実装前の冷却ハウジングの透視図と側面図である。示されるように、冷却ハウジング５０６は、複数の足７０２と保持タブ７０４を含むハウジング体７０６を含む。図７Ｃに示されるように、複数の足７０２と保持タブ７０４は、スクリーン７００の実装前に、同様の方向（例えば、物体の長さ方向の軸に沿って）向けられている。図７Ａを参照すると、２つのスクリーンは、冷却媒体５０３の対向する端に配置されている。スクリーン７００は、冷却ハウジング５０６内に、図５Ａに示される冷却媒体５０３のような冷却材料を入れ込み、冷却媒体５０３を保持するために、複数の収容タブ（保持タブ）７０４と協同する。
【００２９】
一例では、一端の複数の保持タブ７０４は、図７Ａに示されるように、内側に曲げられ、形成される。スクリーン７００の一つは、その後、冷却ハウジング７０６の対向する端から実装され、対応する保持タブ７０４の上に静置される。冷却ハウジング体７０６は、その後冷却媒体５０３によって満たされる。冷却ハウジング体７０６の他の端における保持タブ７０４は、その後、冷却媒体５０３の上の、対向するスクリーン７００の配置後、偏向される。保持タブ７０４の偏向は、実装されたスクリーン７００上の対向する端の保持タブ７０４の位置を決め、したがって、冷却ハウジング体７０６内の冷却媒体５０３を実質的に固定する。図７Ａ及び７Ｂに示されるように、足７０２は、冷却ハウジング７０６の残り部分から離れるように伸びる位置に残る。足７０２のそれぞれにあるフランジ７０３は、図５Ａに示されるように、コンテナ体２０２内で冷却ハウジング体７０６と全冷却アセンブリ５０２とがうまくはまるように設けられる。他の例で説明されるように、フランジ７０３は、下層の絶縁層を変形させ、従って、コンテナ体２０２内で冷却ハウジング５０６をうまく固定するように、フランジ７０３とコンテナ内部壁４０８（図４参照）間の絶縁層を挟み込む。フランジ７０３とコンテナ内部壁４０８間で変形されない絶縁層の大半は、つぶされず、消防装置１００（及び２００）に好ましい絶縁特性を提供し続ける。これに対し、実装を可能にするギャップ間に挟まれる絶縁層は、冷却ハウジング５０６と、冷却内部壁４０８との間に設けられ、冷却ハウジング５０６、冷却媒体５０３及び、冷却ハウジング５０６内に配置されるエージェントカップ５０４内の消防エージェント５００に対する振動と動力学的力の伝達を可能とする。任意に、エージェントカップ５０４は、説明したフランジ７０３の代わり、あるいは、に加えて突出部を含む。エージェントカップ５０４が突出部を含むが冷却ハウジング５０６は有しない場合、エージェントカップ５０４上の突出部は、冷却ハウジング５０６上のフランジ７０３と実質的に同じように、カップと冷却ハウジングの両方を中心取りし、支持する。ここで説明した、間隔、支持、中心取りを提供する他の選択肢は、突出部、フランジ、隆起などは、環状の隆起あるいは、連続あるいは不連続な突出部、リング（連続あるいは不連続）などを含み、しかし、これらには限定されない、単一のあるいは一体のフィーチャーである。１あるいは、それ以上、あるいは、複数の突出部、フランジあるいは、隆起への参照は、単一の突出部、フランジ、隆起などへの参照を含む。
【００３０】
図７Ａ−Ｄに示される例では、少なくとも、冷却ハウジング体７０６の一端の足７０２は、図６Ａに示されるカップフィッティング６０２を受けるために、図５Ａに示されるカップシート５０８を備える。従って、冷却ハウジング体７０６は、対応するコンポーネントの両方を、消防装置２００内にうまく配置するように、エージェントカップ５０４と協同する。これらの間への変形可能な絶縁層の挿入は、コンポーネントを更に固定し、支持する。ここで説明したように、消防装置２００を参照したが、図に示されたコンポーネントのそれぞれは、消防装置１００内で完全にに適用したり、用いたりすることが出来る。
【００３１】
図７Ａ及び７Ｂを再び参照すると、冷却ハウジング体７０６は、溶接タブ７０８を備えている。一例では、冷却ハウジング体７０６は、図７Ａ−７Ｄに示される円筒形に巻かれる前は、実質的に平坦な材料から形成されている。冷却ハウジング体７０６を示された円筒形に巻くときには、冷却ハウジング体７０６の対向する端を結合するのを容易にし、その後、コンテナ体２０２の内周長を完全にするような（例えば、小直径の）円筒形構成に冷却ハウジング体７０６を固定するために、溶接タブ７０８は、つなぎ目に渡って設けられる。
【００３２】
以下に、１以上の消防装置１００、２００を製造する一方法を提供する。第１ステップでは、チューブが引っ張られ、１以上のコンテナ体１０２、２０２が形成される。冷却ベッドアセンブリ５０２のような、冷却アセンブリが、その後、引っ張られたチューブ（例えば、コンテナ体１０２、２０２）内に実装される。例えば、図５Ａに示されるように、冷却アセンブリ５０２は、コンテナ体２０２内にスライドされる。消防エージェント発生体５００を含むエージェントカップ５０４は、その後、コンテナ体２０２内に実装される。例えば、図６Ａに示されたカップフィッティング６０２は、カップシート５０８内に配置される。一例では、圧力パッド５１０などの圧力パッドが、カップ実装フランジ６００に沿って、エージェントカップ５０４の上に実装される。封止キャップ（例えば、上面プレート）は、その後、エージェントカップ５０４と冷却アセンブリ５０２（任意に、圧力パッド５１０）上に配置され、コンテナ体１０２、２０２に固定される。一例では、封止キャップ２０４をコンテナ体１０２、２０２に、固定する前に、発火アセンブリ２０６が、消防エージェント発生体５００内に供給される。封止キャップ２０４は、その後、発火アセンブリ２０６の上に配置され、コンテナ体１０２、２０２に固定される。発火アセンブリ２０６は、封止キャップ２０４に形成されたつぼ状のはめ込み穴５１４内に、フィッティング２０８によってはめ込まれる（図２参照）。例えば、エポキシなどのワイヤーシールが、内部に発火アセンブリ２０６を実質的に固定するために、つぼ状のはめ込み穴５１４内に配置される。任意に、発火アセンブリは、封止キャップをコンテナ体１０２、２０２に結合する前に、封止キャップ２０４内に予め実装される。封止キャップ２０４と発火アセンブリ２０６は、アセンブリとして実装され、したがって、消防装置１００、２００を製造している間に、キャップと発火アセンブリを組み立てることは避けられる。
【００３３】
図８は、消防装置８００の他の例を示す。消防装置８００は、少なくともある面では、前述した消防装置１００、２００と同様である。例えば、消防装置８００は、例えば、放出端８０１（前記した開口部と同様の放出開口部を有する）のような第一の端と、図８に示されるような発火アセンブリ８０４に結合するサイズと形状の発火端などの第２の端８０３を含んでいる。消防装置８００は、コンテナ体１０２及び２０２と同様に設計されたコンテナ体８０２を含んでいる。図８に示されるように、封止キャップ８０８は、コンテナ体８０２を封止し、したがって、その中に消防装置８００のコンポーネントを保持する。コンテナ体８０２のコンテナ体内部壁と組み合わされた封止キャップ８０８は、消防装置８００のコンポーネントをうまく、かつ、確実に配置し、例えば、（例えば、消防装置が、凸凹した道を運転している車両の小室内にある場合）動力学的力や、これらのコンポーネントの振動の伝達による内部のコンポーネントへのダメージを実質避けるように、コンテナ体８０２内のフィーチャーやエレメントと協同する。
【００３４】
図８を再び参照すると、発火アセンブリ８０４が、封止キャップ８０８と結合する発火アセンブリフィッティング８１０から伸びているところが示されている。一例では、発火アセンブリ８０４は、火炎あるいは煙検出システム、温度検出システム、衝撃あるいは衝突検出システムなどのシステムと結合するサイズと形状のプラグあるいはソケットなどの発火アセンブリコネクタ８０６を備えるワイヤードアセンブリを含む。他の例では、発火アセンブリ８０４は、図８に示されるワイヤハーネスを持たず、例えば、発火アセンブリ８０４は、上記の任意のシステムと直接結合するサイズと形状の発火アセンブリフィッティング８１０にあるプラグあるいはソケットを含む。
【００３５】
図９は、断面で、図８の消防装置８００を示す。消防装置８００は、共にコンテナ体８０２内に配置されている、冷却ハウジング体９００とエージェントカップ９０２を含んでいる。以下に更に詳細に説明するように、１以上の冷却ハウジング体９００とエージェントカップ９０２の特徴により、コンテナ体８０２内に、ハウジング体９００とエージェントカップ９０２を硬く保持し、配置することができる。これらのコンポーネントを消防装置８００内に支持し、固定する（例えば、クランプする）ことは、これらのエレメントを内部で安全にし、従って、対応して、図９に示される消防エージェント発火体９０６などの主要物を支持し、保護する。
【００３６】
図９を再び参照すると、冷却ハウジング体９００は、一例では、冷却アセンブリ９０１の一部である。一例では、冷却アセンブリ９０１は、内部に配置される、つぶされた大理石（あるいは、説明した他の冷却媒体材料の任意のもの）などの冷却媒体と共に、冷却ハウジング体９００を含む。図９に示されるように、一例では、冷却ハウジング体９００は、スクリーン９０８を受け、支持するようなサイズと形状の冷却ハウジング体９００の一方の端において、スクリーン支持体９１０を含む。スクリーン９０８によって、放出穴９０５を介して放出する前に、消防エージェント発生体９０６によって生成される消防エアロゾルなどのガスを通すことが出来る。一例では、スクリーン９０８は、ステンレススチール、カーボンスチールなどの金属を含むが、これらには限定されない。例えば、スクリーン９０８は、図９に示されるように、冷却ハウジング体９００内に受け止めるためのサイズと形状を有する実質円形の周囲を有する、ワイヤスクリーンを含む。
【００３７】
図９に更に示されるように、エージェントカップ９０２は、エージェントアセンブリ９０３の一部を形成する。一例では、エージェントアセンブリ９０３は、消防エージェント発生体９０６と共に、エージェントカップ９０２を含む。前述したように、消防エージェント発生体９０６は、一例では、例えば、説明したように、エージェントカップ９０２と冷却ハウジング体９００の間に形成される燃焼室９１８内などで、消防エージェント発生体９０６に隣接して生成される消防エージェントのエアロゾルを生成するように形成された燃焼材料のペレットあるいは平たい固まりである。消防エアロゾルは、冷却ハウジング体９００内に配置された冷却媒体へ、エージェントカップ穴９０９を介して排出され（冷却媒体は、図５Ａなど、他の図に示されている）、その後、コンテナ体８０２の第１の端８０１の近くのスクリーン９０８を通過する。一例では、放出シール９０７（例えば、ホイル、ポリマーなど）が、放出穴９０５上に配置されている。消防エアロゾルの生成は、コンテナ体８０２内の圧力を増加させ、放出シール９０７を破裂させ（あるいは、溶かし）、従って、前述したように、放出穴９０５を介した、消防エアロゾルの放出を可能とさせる。
【００３８】
図９に示されているように、エージェントアセンブリ９０３のエージェントカップ９０２と、冷却アセンブリ９０１の冷却ハウジング体９００は、コンテナ体８０２内で、直列に組み立てられる。例えば、図９に示されるように、エージェントカップ９０２は、冷却ハウジング体９００内に配置され、封止キャップ８０８によって、コンテナ体８０２内に封止される。以下に更に詳細に説明するように、冷却ハウジング体９００内にエージェントカップ９０２を配置することにより、冷却ハウジング体９００に対し、エージェントカップ９０２が固定される。他の例では、冷却ハウジング体９０あるいは、エージェントカップ９０２が、以下に更に詳細に説明する間隔部材９１４などの間隔部材を含む場合には、間隔部材は、消防装置８００内の冷却ハウジング体９００と共に、エージェントカップ（その中の、消防エージェント発生体９０６を含む）を支持するために、絶縁層９２４などの介在層と協同する。
【００３９】
他の例では、封止キャップの一部の、例えば、第２の端８０３におけるエージェントカップ９０２との結合と、コンテナ体８０２の、第１の端８０１に隣接した冷却ハウジング体９００との結合は、内部の冷却媒体と共に、スクリーン９０８を有する冷却ハウジング体９００、エージェントカップ９０２、その中の消防エージェント発生体９０６を軸方向に固定する。他の例では、絶縁層９２４と、冷却ハウジング体９００と共にエージェントカップ９０２とをうまくぴったりあわせることにより、コンテナ体８０２内で、これらのコンポーネントを、軸方向及び放射方向に位置づけし（例えば、中心取りし）、固定し、従って、実質的に、コンテナ体内におけるコンポーネントの放射方向と軸方向の動きを防ぐ。エージェントカップ９０２と冷却ハウジング体９００は、従って、コンテナ体８０２の内部で中心取りされ、硬く支持される。これらの間の、絶縁層９２４の挟みこみにより、変形可能な基板が、コンテナ体内部壁９０４と、冷却ハウジング体９００と共にエージェントカップ９０２との間に設けられ、従って、衝撃、振動などからのショックなどの動力学的力の、消防エージェント発生体９０６を含む消防装置８００のコンポーネントへの伝達を実質最小化する。
【００４０】
図９に示されるように、冷却ハウジング体９００は、冷却アセンブリ９０１の一部を形成する。冷却ハウジング体９００は、コンテナ体内部壁９０４の内部の周囲長より小さな周囲長を有している。冷却ハウジング体９００は、従って、図９に示されるように、容易に、実装位置までスライドされることが出来る。前述したように、冷却ハウジング体９００は、冷却ハウジング体の両端において、第１及び第２のスクリーン支持体のような、スクリーン支持体９１０を含んでいる。一例では、スクリーン支持体９１０（例えば、１以上のスクリーン支持体）は、冷却ハウジング体９００のエッジに沿って形成された、１以上の湾曲可能なタブを含むが、これには限定されない。タブの湾曲は、スクリーン支持体９１０を冷却ハウジング体の内部へ突き出させ、図９に示されるように、その上へのスクリーン９０８の配置を可能とする。
【００４１】
図９に示された他の例では、冷却アセンブリ９０１は、スクリーン支持体９１０から離れて配置された、カップ支持体９１２（例えば、１以上のカップ支持体）を含む。言い換えると、スクリーン支持体９１０は、カップ支持体９１２から奥まっていて、カップ支持体９１２とスクリーン支持体９１０との間の燃焼室９１８あるいはギャップを形成する。一例では、カップ支持体９１２は、冷却ハウジング体９００の周辺エッジに沿って伸びる変形可能なタブである。任意に、カップ支持体９１２の湾曲可能なタブは、スクリーン支持体９１０の湾曲可能なタブよりも短く、従って、カップ支持体９１２が、スクリーン支持体９１０と間を空けており、燃焼室９１８を設けるようになっている。図９に示されたように、カップ支持体９１２は、冷却ハウジング体９００の周囲と協同して、エージェントカップフィッティング９２０のように、エージェントカップ９０２の対応する部分を受けるようなサイズと形状となっているエージェントカップシート９１６を形成する。例えば、図９に示されるように、エージェントカップシート９１６は、エージェントカップ９０２の周囲と良く一致するようなサイズと形状をしており、従って、コンテナ体８０２内に実装する場合に、図９に示される位置にエージェントカップ９０２を安全に保持する。
【００４２】
図９に、更に示されるように、他の例では、冷却ハウジング体９００は、冷却ハウジング体９００の少なくとも周辺部分あたりに配置される、複数の間隔部材９１４を含む。一例では、間隔部材９１４は、スクリーン支持体９１０及びカップ支持体９１２と同様に、湾曲可能なタブを含んでいる。他の例では、図９に示されるように、間隔部材９１４は、冷却ハウジング体９００の残りから離れて伸びる、くぼみ、突出部、ボスなどを含む。間隔部材９１４は、冷却ハウジング体９００のコンテナ体８０２内への実装後、冷却ハウジング体９００から、コンテナ体内部壁９０４に向かって伸びるサイズと形状をしている。図９に示され、更に以下に説明するように、間隔部材９１４は、絶縁層９２４と協同し、コンテナ体８０２に対し、冷却ハウジング体９００を（冷却ハウジング体と結合するエージェントカップ９０２と共に）安全かつ確実に配置するようにする。図９に示される例においては、間隔部材９１４は、カーボンスチール、ステンレススチールなどの、例えば、金属体などの冷却体９００の少なくとも一部を変形することを要求する機械処理によって形成された、切開されたくぼみを含むが、これには限定されない。他の例では、冷却ハウジング体９００は、合成ポリマー、セラミックなどを含み、間隔部材９１４は、冷却ハウジング体９００と共に、対応して、モールドされたり、機械加工されたり、機械的に形成されるなどする。
【００４３】
前述したように、エージェントカップ９０２は、冷却ハウジング体９００と共に配置される。例えば、図９に示されるように、エージェントカップ９０２は、エージェントカップシート９１６内に受けられるようなサイズと形状のエージェントカップフィッティング９２０を含む。エージェントカップフィッティング９２０をエージェントカップシート９１６に配置することは、対応して、両コンポーネントをコンテナ体８０２内に実装する場合、エージェントカップ９０２を冷却ハウジング体９００に対して位置決めする。例えば、冷却ハウジング体９００の間隔部材９１４が、冷却ハウジング体９００の中心決めと支持に用いられるとき、冷却ハウジングに提供される任意の位置決め結果は、エージェントカップシート９１６とのエージェントカップフィッティング９２０のインタフェースを介して、冷却ハウジング体９００と結合するエージェントカップ９０２に同様に提供される。他の例においては、エージェントカップ９０２は、エージェントカップ９０２の周辺から離れるように伸びるカップフランジ９２２を含む。以下に更に詳細に説明するように、カップフランジ９２２（間隔部材の他の例）は、間隔部材９１４と同様に、絶縁層９２４と共に動作する。つまり、カップフランジ９２２は、絶縁層９２４と結合し、コンテナ体８０２内において、エージェントカップ９１２（冷却ハウジング体９００と共に）の位置を、放射方向に（及び、ある例では、軸方向に）硬く支持し、固定する。
【００４４】
消防装置８００の組み立ての間、一例では冷却アセンブリ９０１の冷却ハウジング体９００は、エージェントアセンブリ９０３のエージェントカップ９０２と組み立てられ、あるいは、結合される。例えば、エージェントカップ９０２のエージェントカップフィッティング９２０は、冷却ハウジング体９００のエージェントカップシート９１６内に配置され、エージェントカップ開口部９０９は、対応して、冷却媒体に向けられる。前述したように、エージェントカップ９０２を冷却ハウジング体９００内に配置することは、エージェントカップ９０２を、冷却ハウジング体９００と直列に位置決めする。一例では、図９に示された結合は、内部の冷却媒体を含む冷却ハウジング体９００の部分（例えば、図９に示されるスクリーン９０８間）と共に、エージェントカップ９０２間に、燃焼室９１８を更に形成する。
【００４５】
コンテナ体８０２内への実装の前に、一例では、絶縁層９２４、例えば、絶縁性のブランケットあるいはラップが、組み立てられたエージェントカップ９０２と冷却ハウジング体９００の周囲のまわりに結合される。エージェントカップ９０２、冷却ハウジング体９００及び絶縁層９２４の部分的アセンブリは、例えば、コンテナ体内部壁９０４に沿って、コンテナ体８０２内に実装される。図９に示されるように、絶縁層９２４は、コンテナ体内部壁９０４と、エージェントカップ９０２及び冷却ハウジング体９００の双方の周囲の間に挿入される。
【００４６】
図９に示されるように、間隔部材９１４を設けることは、少なくとも、冷却ハウジング体９００とコンテナ体８０２間で、きついクランプ（締め付け、留め）による結合を提供する。例えば、絶縁層９２４の一部分は、図９に示されるように、変形可能なように圧縮される。クランプされた部分９２６は、一例では、図９に示されるように、冷却ハウジング体９００の周囲の回りに配置される。絶縁層９２４の変形が、コンテナ体８０２内の冷却ハウジング体９００を固定し、硬く支持する絶縁層９２４からの対応する対向バイアスを提供する。例えば、エージェントカップシート９１６とエージェントカップフィッティング９２０との間のインタフェースにおけるエージェントカップ９０２の冷却ハウジング体９００との結合は、対応して、間隔部材９１４と絶縁層９２４を介しての冷却ハウジング体９００の位置決めに従って、エージェントカップ９０２を配置する。言い換えると、間隔部材９１４とコンテナ体内部壁９０４間の絶縁層９２４のクランプによる結合は、実質的に、冷却ハウジング体９００を、コンテナ体内部壁９０４から離して中心決めし、放射方向に配置し、従って、実質的に、エージェントカップ９０２と冷却ハウジング体９００の双方を、例えば、コンテナ体８０２と、１以上の冷却ハウジング体９００あるいはエージェントカップ９０２との間の直接の接触を介したような、コンテナ体８０２を介して伝達される動力学的力から隔離する。更に、絶縁層９２４に沿って、間隔部材９１４と、コンテナ体内部壁９０４との間をうまく結合することは、冷却ハウジング体９００とエージェントカップ９０２を軸方向に、かつ、放射方向に固定する。
【００４７】
任意に、かつ、上記したように、エージェントカップ９０２は、カップフランジ９２２のような、間隔部材を含む。図９に示されるように、カップフランジ９２２は、冷却ハウジング体９０２の間隔部材９１４と同様に、絶縁層９２４と結合する。つまり、カップフランジ９２２は、少なくとも、エージェントカップ９０２の周囲部分のまわりに伸びる、第２のクランプされた部分９２８を提供する。カップフランジ９２２は、絶縁層９２４を圧縮し、カップフランジ９２２とコンテナ体内部壁９０４間のクランプによる結合を提供する。一例では、変形可能なように絶縁層９２４と結合する、カップフランジ９２２によって生成される第２のクランプされた部分９２８は、エージェントアセンブリ９０３のコンポーネントと冷却ハウジング体９００の、放射方向及び軸方向の固定と支持を助け、更に増強させる。つまり、消防エージェント発生体９０６と、冷却ハウジング体９００内の冷却媒体は、カップフランジ９２２と間隔部材９１４によって、コンテナ体内部壁９０４から離れた位置に支持される。
【００４８】
更に、絶縁層９２４は、消防エージェント発生体９０６に対し、熱絶縁を提供する。例えば、エンジン室内の周期的加熱は、絶縁層９２４を設けることによって、消防装置８００の内部では抑えられる。消防エージェント発生体９０６は、従って、対応して、例えば、エンジンの動作と、消防装置８００の動作の寿命に渡るエンジンの動作の不連続による極端な周期的熱負荷にはさらされない。消防エージェント発生体９０６は、従って、そうでなければ、消防エージェント発生体９０６の性能を害する、あるいは、性能に影響を与えるだろう、高速な、極端な周期的温度にさらされない。
【００４９】
前述したように、１以上の間隔部材９１４及びカップフランジ９２２は、クランプされた部分９２６、９２８において、絶縁層９２４と結合し、少なくとも絶縁層の一部を変形させる。図９に示されるように、絶縁層９２４の残りは、例えば、冷却ハウジング体９００の周囲とエージェントカップ９０２の結合と、コンテナ体８０２のコンテナ体内部壁の対向する結合によって、実質的に圧縮されずに残る。言い換えると、間隔部材９１４とカップフランジ９２２は協同して、対応する局在化されたクランプ部分９２６、９２８においてのみ、絶縁層９２４が変形されることを保証する。絶縁層９２４の残りは、実質的に圧縮されず（対向する面間に引き起こされる瞬間的な圧縮を除いて）、絶縁層９２４は、従って、絶縁層９２４の元の構成に従って（例えば、絶縁層の熱絶縁特性を増強するために、少なくとも繊維間のある間隔を含むように設計された、織られた、あるいは、織られていない、繊維状の材料）、増強された効率で動作する事が出来る。つまり、絶縁層９２４の残りは、クランプ部分９２６、９２８に存在する圧縮から隔離され、消防エージェント発生体９０６を含む、消防装置８００のコンポーネントに、増強された絶縁（例えば、熱ベースの絶縁）を提供することができる。
【００５０】
図１０Ａ及び１０Ｂは、図９に示した冷却ハウジング体９００の透視図を示す。図１０Ａにおいて、冷却ハウジング体９００は、ページに対して、上面部あるいは第１の端を外側にむけて示されている。前述したように、冷却ハウジング体９００は、カップ支持体９１２及びスクリーン支持体９１０などの複数の支持体を含んでいる。図１０Ａに示されるように、カップ支持体９１２とスクリーン支持体９１０の双方は、第１の端１００２に隣接して配置されている。図１０Ａに更に示されるように、スクリーン支持体９１０は、一例では、カップ支持体９１２に対して、奥まっている。前述し、図９に示されたように、カップ支持体９１２に対するスクリーン支持体の奥まりは、図１０Ａに示される支持ギャップ１００８によって、燃焼室９１８を形成する。例えば、示されているように、例えば、カップ支持体９１２に対して奥まるように、スクリーン支持体９１０をカッティングすることにより、スクリーン支持体９１０は、カップ支持体９１２に対して奥まっている。
【００５１】
図１０Ａを再度参照すると、複数のスクリーン支持体９１０とカップ支持体９１２は、一例では、１以上の湾曲可能なタブである。例えば、カーボンスチール、ステンレススチールなどを含む、金属などの冷却ハウジング体の材料は、例えば、支持体９１０、９１２のそれぞれにおいて湾曲し、対応して、冷却ハウジング体９００の内部へと支持体を曲げ、対応する支持体を形成する。一例では、スクリーン支持体９１０は、カップ支持体９１２の前に形成される。スクリーン支持体９１０の形成によって、例えば、図９に示される、実装されたスクリーン９０８の上側全体にスクリーン支持体９１０を曲げることにより、スクリーン９０８をその上に結合させることができる。スクリーン支持体９１０を曲げることにより、スクリーン９０８の上で支持体を湾曲させ、スクリーン９０８と、その中の冷却媒体を、図１０Ａに示される冷却媒体室１００６内に保持させる。
【００５２】
他の例では、第１の端１００２において、複数のシート突起１０１０は、ハウジング周囲１０００の全体にずらして配列されている。例えば、図１０Ａに示されているように、シート突起１０１０は、エージェントカップシート９１６の周囲をいくつかに分けている。前述したように、シート突起１０１０などの冷却ハウジング体９００の残りと共に、カップ支持体９１２は協同し、図１０Ａに示されるエージェントカップシート９１６を形成する。カップ支持体９１２は、エージェントカップシート９１６の基盤を形成し、シート突起１０１０は、エージェントカップシート９１６の周囲を形成する。エージェントカップシート９１６は、図９に示されるエージェントカップフィッティング９２０を含む、エージェントカップ９０２とうまくフィッティング結合するようなサイズと形状をしている。
【００５３】
図１０Ａ及び１０Ｂの双方を参照すると、間隔部材９１４（図９に図示）が透視図で示されている。間隔部材９１４は、冷却ハウジング体９００から離れて伸び、図９に示される絶縁層９２４との間隔をあけた結合を提供する。間隔部材９１４は、絶縁層９２４の一部を圧縮する。例えば、間隔部材９１４によって圧縮された絶縁層９２４のクランプされた部分９２６は、冷却ハウジング体９００と、ハウジング体９００に結合したエージェントカップ９０２に、うまく支持するような結合を提供する。更に、間隔部材９１４は、コンテナ体内部壁９０４からハウジング周囲１０００を離し、従って、絶縁層９２４が、冷却ハウジング体９００の大部分によって押しつぶされないようにする。つまり、間隔部材９１４は、冷却ハウジング体９００を、コンテナ体内部壁９０４から離し、従って、図９に示されるように、絶縁層９２４の大部分を圧縮されない構成に維持する。
【００５４】
一例では、間隔部材９１４は、ハウジングの周囲１０００に形成された、切開されたくぼみを含むが、これには限定されない。例えば、間隔部材９１４は、ハウジングの周囲１０００の打ち抜き、あるいは、他の機械的機構により形成される。同様に、間隔部材９１４は、冷却体９００に示される間隔部材９１４に加え、あるいは、これとは別に、エージェントカップ９０２内に形成することも可能である。例えば、切開されたくぼみは、エージェントカップ９０２内に形成され、そうでなければ、冷却ハウジング体９００によって提供される、間隔機能を、更に、エージェントカップ９０２に提供する。
【００５５】
図１０Ｂを参照すると、冷却媒体室１００６が、第１の端１００２における、図１０Ｂに示される湾曲支持体に含まれるスクリーン支持体９１０と、第２の端１００４に示される非湾曲支持体との間に形成されるのが示される。一例では、冷却媒体室１００６は、つぶされた大理石、アルミナなど（ここに説明した冷却媒体の他の例を参照されたい）の冷却媒体を受け入れるサイズと形状になっている。消防装置８００の組み立て時において、一例では、第２の端１００４のスクリーン支持体９１０は、ハウジング周辺１０００などの冷却ハウジング体９００に対して、内側に湾曲させられる。第１のスクリーン９０８は、図９に示されるように、スクリーン支持体９１０の上に配置されている。冷却ハウジング体９００、例えば、冷却媒体室１００６は、その後、冷却媒体によって満たされ、第２のスクリーン９０８は、冷却媒体室１００６内の冷却媒体の上に配置される。第１の端１００２のスクリーン支持体９１０は、図１０Ａに示されるように、湾曲させられ、従って、スクリーン支持体９１０をスクリーン９０８上に移動させ、冷却媒体を冷却媒体室１００６に閉じ込める。
【００５６】
カップ支持体９１２は、その後、図１０Ａに示される構成に湾曲され、図９及び１０Ａに示されるエージェントカップシート９１６を提供する。示されるように、カップ支持体９１２は、図１０Ａ及び１０Ｂに示される支持ギャップ１００８によって、スクリーン支持体９１０から隔てられている。支持ギャップ１００８はまた、図１０Ｃに示されている。図１０Ａ−１０Ｃに示されるように、支持ギャップ１００８は、カップ支持体９１２とスクリーン支持体９１０の間に燃焼室９１８を提供する。例えば、図９に示されるように、支持ギャップ１００８によって提供される燃焼室９１８は、消防エージェント発生体９０６を、冷却媒体室１００６内の冷却媒体から離し、冷却ハウジング体９００内の冷却媒体を介した消防エアロゾルの排出と、それに続く、図９に示される放出穴９０５を介した放出の前に、発生体材料に先立つ消防エージェントの完全な燃焼のための室を提供する。
【００５７】
図１０Ｃを再び参照すると、複数のファスナ１０１２が、冷却ハウジング体９００に対して示されている。一例では、冷却ハウジング体９００は、実質的に平坦な金属片で構成されており、その後、図１０Ａ及び１０Ｂに示される円筒のような円筒に形成される。冷却ハウジング体９００に一貫した直径と形状を保証するために、湾曲可能なタブなどの１以上のファスナ１０１２が、冷却ハウジング体９００に用いられるブランクの一部の端に形成される。心棒の上に、冷却ハウジング体のブランクをラッピングする事によるなどによる形成時に、１以上のファスナ１０１２が、対応するファスナ開口部１０１４を介して取り付けられ、形成された冷却ハウジング体９００が、一貫した直径と形状を有するようにされる。任意に、ファスナ１０１２は、例えば、湾曲されたタブのように、図１０Ｃに示される形状に変形される。他の例では、ファスナ１０１２は、冷却ハウジング体９００の対向する部分と溶接される。更に他の例では、ファスナ１０１２は、図１０Ｃに示される方向に変形され、その後、冷却ハウジング体のブランクの端のそれぞれが特定の位置に固定されるように溶接され、従って、図１０Ａに示される円筒が形成される。
【００５８】
発火アセンブリ８０４と共に用いる発火アセンブリフィッティング８１０の一例が図１１Ａ及び１１Ｂに示されている。図１１Ａを最初に参照すると、発火アセンブリフィッティング８１０が透視図で示されている。発火アセンブリ８１０は、一例では、図８に示されるように、例えば、封止キャップ８０８の対応する部分に結合するサイズと形状のフィッティングフランジ１１０２を含むフィッティング体１１００を含む。他の例では、発火アセンブリフィッティング８１０は、例えば、図９に示される消防エージェント発生体９０６に隣接した位置まで、ワイヤなどの発火アセンブリ８０４の一部を消防装置８００内に通すサイズと形状のフィッティング内腔１１０８を含む。例えば、発火アセンブリコネクタ８０６のワイヤリングは、可燃性物質、電気加熱用フィーチャーなどと結合される。任意に、フィッティング内腔１１０８を通って伸びるワイヤリングは、発火可能なコード、可燃性の物質などである。
【００５９】
図１１Ａ及び１１Ｂを再び参照すると、発火アセンブリフィッティング８１０は、封止キャップ８０８内への受けのためのサイズと形状の結合フィーチャー１１０４を含む。一例では、結合フィーチャー１１０４は、少なくとも発火アセンブリ８０４の一部を、消防装置８００に対して、実質固定するために、封止キャップ８０８内の対応するフィーチャーと結合するサイズと形状の機械的締めしろフィッティング、ねじきりなどを含むが、これらには限定されない。
【００６０】
他の例では、発火アセンブリフィッティング８１０は、湾曲可能な胴体１１０６を含む。湾曲可能な胴体１１０６は、変形可能で、変形後もその形状を保持することのできる材質で構成される。例えば、例では、湾曲可能な胴体１１０６は、スチール、真鍮などで構成される。湾曲可能な胴体１１０６は、変形したときに、図８に示されたワイヤのようなワイヤと結合し、発火アセンブリフィッティング８１０に対し、発火アセンブリ８０４のその部分を保持するようなサイズと形状である。例えば、湾曲可能な胴体１１０６を介して、ワイヤ及び発火コードなどを実装後、湾曲可能な胴体１１０６は、例えば、湾曲可能な胴体の少なくとも一部をワイヤあるいは発火コードの周りに固定させるようにふち曲げツールで、閉じられる。任意に、胴体１１０６内に（単独で、あるいは、変形と組み合わせて）、ワイヤまたは発火コードを保持する為に、封止剤あるいは接着剤が適用される。更に、封止剤あるいは接着剤は、消防装置８００を閉じ、及び、封止する。
【００６１】
発火アセンブリフィッティング８１０は、発火コードあるいはワイヤと結合されたとき、発火アセンブリ８０４を形成する。このアセンブリは、例えば、発火アセンブリフィッティング８１０をねじ込んだり、押し込んだりして、図８に示されるような封止キャップ８０８とうまくフィッティング結合させる事により、消防装置８００にユニットとして、実装される。望むなら、エポキシのような、追加の封止エレメントが、封止キャップ８０８と共に、フィッティング８１０の境界の部分あるいは隣接したところに含まれる。封止エレメントは、任意に、破片、湿気などが装置８００に進入することを実質的に防ぐために、湾曲可能な胴体１１０６における封止剤と同様にして、消防装置８００を封止する。
【００６２】
発火アセンブリフィッティング８１０の実装は、一例では、アーク発生体、可燃性材料などの発火コンポーネントを、消防エージェント発生体９０６の極近傍に配置することになる。例えば、図９に示されるように、発火アセンブリフィッティング８１０を発火アセンブリ８０４の残りと結合することは、発火コンポーネント（発火コンポーネントの一例は図５Ｂに示される）を、例えば、消防エージェント発生体の一部を通って伸びる内腔の消防エージェント発生体９０６に隣接する位置に配置することになる。発火アセンブリフィッティング８１０の固定された位置は、対応して、消防エージェント発生体９０６内に配置された発火コンポーネントを、本来の位置に固定し、消防エージェント発生体の発火を含む消防装置８００の信頼性のある動作を保証する。
【００６３】
図１２は、ここに説明した消防装置１００、２００、８００のような、消防装置を製造するための方法１２００の一例を示すブロック図である。方法１２００を説明するに際して、便利な場合には、番号付けられた参照を含め、前述したフィーチャーとエレメントについて参照する。方法１２００の説明に含まれる番号付けられたエレメントは、限定的であることを意図しない。むしろ、番号付けられた参照は、利便の為に用いられ、更に、説明される、任意の同様なフィーチャーを、その均等物と共に含む。例えば、方法１２００を説明するに際して、少なくとも消防装置８００を参照する。方法１２００は、しかし、消防装置８００には限定されない。むしろ、方法１２００は、関連のコンポーネントと共に説明された消防装置１００を含むが、これには限定されない。
【００６４】
１２０２において、方法１２００は、図８及び９に示した、コンテナ体８０２などのコンテナ体内に、冷却アセンブリ９０１を配置することを含む。例えば、一例では、冷却アセンブリ９０１は、図９に示されるように、コンテナ体８０２内にスライドされて配置される冷却ハウジング体９００を含む。
【００６５】
１２０４において、エージェントアセンブリ９０３のエージェントカップ９０２は、冷却アセンブリ９０１内に配置される。エージェントアセンブリ９０３は、例えば、エージェントカップ９０２内に配置された消防エージェント発生体９０６を含んでいる。更に説明するように、エージェントカップ９０２は（説明した他の例と同様に）、消防エージェントエアロゾルなどの消防エージェントを、エージェントカップ９０２から冷却ハウジング体９００内に放出可能とする通路９０９を含む。更に説明されるように、一例では、消防エージェント発生体９０６を含むエージェントカップ９０２を冷却アセンブリ９０１内に配置することは、エージェントカップのエージェントカップフィッティング９２０を、冷却ハウジング体９００のエージェントカップシート９１６内にフィッティングすることを含む。例えば、図９に示されるように、エージェントカップフィッティング９２０は、エージェントカップシート９１６に対して相補的な周囲を有し、冷却ハウジング体９００に密接にフィッティングされ、エージェントカップ９０２が、実質的に、冷却ハウジング体９００に対し、少なくとも横方向に移動することの防止を保証する。
【００６６】
１２０６において、方法１２００は、図９に示されるコンテナ体内部壁９０４のようなコンテナ体内部壁から、１以上の冷却アセンブリ９０１あるいはエージェントカップ９０２（例えば、エージェントアセンブリ９０３）を離して配置することを含む。ここに説明したように、１以上の間隔部材９１４は、コンテナ体内部壁９０４と、１以上の、冷却アセンブリ９０１あるいは、（エージェントアセンブリ９０３の一部を構成する）エージェントカップ９０２との間に伸びる。例えば、一例において、ここで説明したように、１以上の間隔部材９１４は、冷却ハウジング体９００のハウジング周囲１０００に形成される、切開されたくぼみである。
【００６７】
１２０８において、１以上の冷却アセンブリ９０１あるいは、エージェントアセンブリ９０３のエージェントカップ９０２は、コンテナ体内部壁９０４と間隔部材９１４間の絶縁層９２４をクランプすることで、コンテナ体内部壁９０４に沿って固定される。一例では、１以上の冷却アセンブリ９０１あるいは、エージェントカップ９０２の間隔をあけることは、冷却アセンブリ９０１から伸びる間隔部材９１４を用いて、コンテナ体内部壁９０４からの、冷却アセンブリ９０１（例えば、冷却ハウジング体９００）の間隔をあけることを含む。例えば、複数の間隔部材９１４は、冷却ハウジング体９００に形成される切開されたくぼみであり、図９に示されるように実装された場合、冷却ハウジング体９００から離れてコンテナ体内部壁９０４に向かって伸びる。更に他の例では、１以上の冷却アセンブリあるいはエージェントカップの間隔をあけることは、エージェントカップ９０２のコンテナ体内部壁９０４からの間隔をあけることを含む。一例では、エージェントカップ９０２のエージェントカップフィッティング９２０を、冷却アセンブリ９０１のエージェントカップシート９１６内に配置することからの横方向のポジショニングによると共に、冷却アセンブリから伸びる間隔部材９１４（あるいは、カップフランジ９２２）によって、エージェントカップ９０２は、間隔開けされる。言い換えれば、間隔部材９１４が、冷却ハウジング体９００の周辺に沿って配置される場合、冷却ハウジング体９００は、対応して、例えば、複数の間隔部材９１４を周囲の絶縁層９２４と結合することにより、図９に示されるように中心取りされる。冷却ハウジング体９００内に配置されるエージェントカップ９０２は、対応して、コンテナ体内部壁９０４と介在する絶縁層９２４との間のクランプによって結合している間隔部材によって提供される中心取りと支持に従って、位置決めされる。
【００６８】
ここに説明されるように、一例では、エージェントカップ９０２は、絶縁層９２４と同様に結合するサイズと形のそれ自身のカップフランジ９２２を含む。それによって、絶縁層９２４と（絶縁層９２４の対向する側のコンテナ体内部壁９０４と）クランプにより結合する、他の中心取り、結合のための他の特徴物の提供により、冷却ハウジング体９００によって提供されるポジショニングが補足される。任意に、１以上の間隔部材９１４（カップフランジ９２２を含む）は、コンテナ体内部壁９０４に沿って形成され、１以上のエージェントカップ９０２と冷却ハウジング体９００に向かって伸びる。
【００６９】
方法１２００のいくつかの選択肢を述べる。一例では、１以上の冷却アセンブリ９０１あるいはエージェントアセンブリ９０３（エージェントカップ９０２など）を固定することは、間隔部材９１４とコンテナ体内部壁９０４間に絶縁層９２４の一部をクランプすることを含む。１以上の冷却アセンブリあるいはエージェントカップを固定することは、更に他の例では、例えば、間隔部材とコンテナ体内部壁９０４間に絶縁層をクランプすることにより、絶縁層９２４の残り部分を圧縮から隔離することを含む。間隔部材９１４は、１以上のエージェントカップ９０２あるいは、冷却アセンブリ９０１の冷却ハウジング体９００を、絶縁層９２４と圧縮結合させないようにする。例えば、図９に示されるように、クランプされた部分９２６及び９２８から離れた絶縁層９２４の残り部分は、実質的に、コンテナ体内部壁９０４と、１以上のエージェントカップ９０２と冷却ハウジング体９００との間で圧縮されない。言い換えると、間隔部材９１４とコンテナ体内部壁９０４間でクランプされた絶縁層９２４のこれらの部分のみが、図９に示されるように圧縮される。例えば、クランプ部分９２６、９２８の部分ではないこれらの領域において、絶縁層９２４の残り部分は、実質的に圧縮されないまま残され、従って、消防装置８００のコンポーネントの頑強な絶縁を可能にする。
【００７０】
更に他の例では、方法１２００は、冷却アセンブリ９０１を組み立てることを含む。一オプションでは、冷却アセンブリ９０１を組み立てる事は、図１０Ａ及び１０Ｂで示した冷却媒体室１００６などの冷却媒体室を含む冷却ハウジング体９００を形成することを含む。第１のスクリーン支持体９１０は、図１０Ａに示される一端１００４の近くに形成される。第２のスクリーン支持体９１０は、冷却媒体室１００６の他の端１００２の近くに形成される。
【００７１】
エージェントカップシート９１６が図９に示されている。エージェントカップシート９１６は、冷却媒体室１００６の一端１００２の近くに形成される。例えば、一例では、第１のスクリーン支持体９１０を形成することと、エージェントカップシート９１６を形成することは、第１の変形可能なタブを、冷却媒体室１００６の一端１００２の近くで湾曲させることを含む。第２の変形可能なタブは、冷却媒体１００６の一端１００２の近くで湾曲され、エージェントカップシート９１６を形成する。例えば、スクリーン支持体９１０用の第１の変形可能なタブは、カップ支持体９１２用の第２の変形可能なタブに対して奥まっている。例えば、図１０Ａ−Ｃに示されているように、第１の端１００２にあるスクリーン支持体９１０は、支持体ギャップ１００８に従って、カップ支持体９１２に対して奥まっている。一例では、支持体ギャップ１００８は、図９に示される燃焼室９１８として設けられる距離に対応している。燃焼室９０８は、冷却ハウジング体９００内で、消防エージェント発生体９０６と、冷却媒体との間の通路を提供し、発生体９０６の燃焼と、消防エアロゾルの生成を行なわせる。任意に、ここで説明した、燃焼室９０８を形成することは、一例では、冷却ハウジング体９００の第１の端１００２に隣接して示されるスクリーン支持体９１０のような、第１のスクリーン支持体を、冷却ハウジング体９００のエージェントカップシート９１６から離すことを含む（図１０Ａ参照）。
【００７２】
更に他の例では、方法１２００は、発火アセンブリ８０６（図８参照）を、エージェントカップ９０２内で、消防エージェント発生体９０６と結合することを含む。任意に、方法１２００は、少なくとも１つの発火ワイヤ（例えば、電気ワイヤ、発火コードなど）を、発火アセンブリフィッティング８１０などのフィッティングの変形可能な部分とクランプすることを含む。例えば、図１１Ａ及び１１Ｂにおいて示されるように、発火アセンブリフィッティング８１０は、変形可能な胴体１１０６を含む。変形可能な胴体１１０６は、変形され（例えば、ふち曲げによって）、フィッティング８１０を発火ワイヤに固定し、図８に示されるアセンブリ８０４のような、一体の発火アセンブリを形成する。発火アセンブリ８０４は、その後、例えば、コンテナ体８０２と結合した封止キャップ８０８と、フィッティング８１０を結合することなどにより、消防エージェント発生体９０６と結合される。
【００７３】
＜さまざまな注意書きと例＞
例１は、装置などの主題を含むことができ、これは、少なくとも１つの放出穴を含むコンテナ体と、コンテナ体内部壁に沿って結合される冷却アセンブリであって、内部に冷却媒体を持つ冷却ハウジング体と、エージェントカップシートを含む冷却アセンブリと、コンテナ体内部壁に沿って結合されるエージェントアセンブリであって、内部に消防エージェント発生体を含むエージェントカップと、エージェントカップの端の近くにあり、エージェントカップシートと結合されるエージェントカップフィッティングを含むエージェントアセンブリと、コンテナ体内部壁と、少なくとも１つの冷却ハウジング体とエージェントカップとの間に伸びる複数の間隔部材であって、冷却ハウジング体とエージェントカップの双方を、コンテナ体内部壁から離している複数の間隔部材と、コンテナ体内部壁と複数の間隔部材間に結合される絶縁層であって、その一部が、１以上の間隔部材とコンテナ体内部壁間にクランプされる絶縁層と、を備える消防装置を含むだろう。
【００７４】
例２は、例１の主題を含むか、あるいは、その主題と任意に組みあわされることができ、任意に、複数の間隔部材と、１以上の間隔部材とコンテナ体間にクランプされる絶縁層が、冷却ハウジング体とエージェントカップをコンテナ体内に固定することを含む。
【００７５】
例３は、例１あるいは例２の１つあるいは組み合わせの主題を含むか、あるいは、任意に組みあわされることができ、任意に、クランプされた絶縁層と１以上の間隔部材は、コンテナ体内で、冷却ハウジング体とエージェントカップを中心に置くことを含む。
【００７６】
例４は、例１−３の１つあるいは組み合わせの主題を含むか、あるいは、任意に組みあわされることができ、任意に、絶縁層の一部は、１以上の間隔部材とコンテナ壁間で圧縮され、１以上の冷却ハウジング体あるいはエージェントカップは、１以上の間隔部材によって、絶縁層の大部分との圧縮による結合をしないことを含む。
【００７７】
例５は、例１−３の１つあるいは組み合わせの主題を含むか、あるいは、任意に組みあわされることができ、任意に、エージェントカップは、カップ実装フランジを含み、絶縁層の他の部分は、カップ実装フランジとコンテナ体内部壁間にクランプされることを含む。
【００７８】
例６は、例１−５の主題を含むか、あるいは、任意に組み合わされることができ、任意に、エージェントカップは、エージェントカップフィッティングと、冷却媒体の上に伸びる冷却アセンブリのスクリーンによってその間に形成される燃焼室ギャップによって、その冷却媒体から離されていることを含む。
【００７９】
例７は、例１−６の主題を含むか、あるいは、任意に組み合わされることができ、任意に、消防エージェント発生体と、コンテナ体に結合される封止キャップとの間に介在し、エージェントアセンブリとコンテナ体内の冷却アセンブリを軸方向に固定する圧力パッドを含み、１以上の圧力パッド、複数の間隔部材、あるいは、クランプされた絶縁層は、エージェントアセンブリと、コンテナ体内の冷却アセンブリを固定することを含む。
【００８０】
例８は、例１−７の主題を含むか、あるいは、任意に組み合わされることができ、任意に、消防エージェント発生体内に配置された発火アセンブリを含む。
【００８１】
例９は、例１−８の主題を含むか、あるいは、任意に組み合わされることができ、任意に、コンテナ体に沿って結合される封止キャップを含み、発火アセンブリは、フィッティング内に固定され、フィッティングは、封止キャップに結合されることを含む。
【００８２】
例１０は、例１−９の主題を含むか、あるいは、任意に組み合わされることができ、任意に、発火アセンブリは、変形可能な熱トリガを含み、少なくとも変形可能なトリガの一部は、特定の温度で変形し、消防エージェント発生体を発火することを含む。
【００８３】
例１１は、例１−１０の１つあるいは組み合わせの主題を含むか、あるいは、任意に組みあわされることができ、装置のような主題を含み、この主題は、冷却アセンブリを含み、冷却アセンブリは、冷却媒体室を含む冷却ハウジング体を含み、冷却ハウジング体は、冷却媒体室の第１の端の近くの第１のスクリーン支持体と、冷却媒体室の第２の端の近くの第２のスクリーン支持体と、第１と第２の端の１つの近くのエージェントカップシートと、冷却ハウジング体から伸びる複数の間隔部材とを含み、冷却アセンブリは、冷却ハウジング体内の冷却媒体と、それぞれ第１と第２のスクリーン支持体で冷却ハウジング体と結合されるスクリーンとを含む。
【００８４】
例１２は、例１−１１の主題を含む、あるいは、任意に組み合わされることができ、任意に、冷却ハウジング体は、第１あるいは第１の端に、複数の湾曲可能なタブを含み、少なくとも第１の湾曲可能なタブは、第１あるいは第２のスクリーン支持体内に湾曲され、少なくとも第２の湾曲可能なタブは、エージェントカップシート内に湾曲されることを含む。
【００８５】
例１３は、例１−１２の主題を含む、あるいは、任意に組み合わされることができ、任意に、第１あるいは第２のスクリーン支持体に対応する第１の湾曲可能なタブは、エージェントカップシートに対応する第２の湾曲可能なタブに対し、第１あるいは第２の端から長さ方向に奥まった位置にあることを含む。
【００８６】
例１４は、例１−１３の主題を含むか、あるいは、任意に組み合わされることができ、任意に、複数の湾曲可能なタブは、コンテナ体の周囲にずらして配置されていることを含む。
【００８７】
例１５は、例１−１４の主題を含むか、あるいは、任意に組み合わされることができ、任意に、複数の間隔部材は、コンテナ体に形成された、切開されたくぼみを含むことを含む。
【００８８】
例１６は、例１−１５の主題を含むか、あるいは、任意に組み合わされることができ、任意に、消防エージェント発生体を内部に有するエージェントカップを含み、エージェントカップは、エージェントカップシート内に受けられるエージェントカップフィッティングを含み、コンテナ体は、コンテナ体内部壁を含み、エージェントカップと冷却アセンブリは、コンテナ体内部壁に沿って、コンテナ体内部で結合されることを含む。
【００８９】
例１７は、例１−１６の主題を含むか、あるいは、任意に組み合わされることができ、任意に、エージェントカップと冷却ハウジング体の周りに伸びる絶縁層を含み、絶縁層の一部は、複数の間隔部材とコンテナ体内部壁の間で圧縮され、圧縮された絶縁層は、１以上の冷却ハウジング体あるいはエージェントカップを固定し、支持することを含む。
【００９０】
例１８は、例１−１７の主題を含むか、あるいは、任意に組みあわされることができ、方法のような主題を含み、その主題は、冷却アセンブリをコンテナ体内で位置決めし、消防エージェント発生体を含むエージェントカップを冷却アセンブリ内に配置し、１以上の冷却アセンブリあるいはエージェントカップを、コンテナ体内部壁と１以上の冷却アセンブリあるいはエージェントカップの間に伸びる間隔部材を用いて、離して配置し、１以上の冷却アセンブリあるいはエージェントカップを、コンテナ体内部壁と間隔部材との間の絶縁層をクランプすることにより、コンテナ体内部壁に沿って固定することを含む。
【００９１】
例１９は、例１−１８の主題を含むか、あるいは、組み合わされることができ、任意に、１以上の冷却アセンブリあるいはエージェントカップを離して配置することは、冷却アセンブリから伸びる間隔部材を用いて、コンテナ体内部壁から離して、冷却アセンブリを配置し、エージェントカップをコンテナ体内部壁から離して配置することを含み、エージェントカップは、冷却アセンブリから伸び、冷却アセンブリのエージェントカップ内のエージェントカップのエージェントカップフィッティングの配置を通して横方向の位置決めをする間隔部材に従って、離して配置されることを含む。
【００９２】
例２０は、例１−１９の主題を含むか、あるいは、組み合わされることができ、任意に、１以上の冷却アセンブリあるいはエージェントカップを固定することは、間隔部材とコンテナ体内部壁間の絶縁層の一部をクランプし、絶縁層の残りの部分を圧縮から隔離し、間隔部材が、冷却アセンブリの１以上のエージェントカップあるいは冷却ハウジング体を、圧縮されて絶縁層と結合されないようにすることを含む。
【００９３】
例２１は、例１−２０の主題を含む、あるいは、組み合わされることができ、任意に、例１８の方法が、冷却アセンブリを組み立てることを含み、冷却アセンブリを組み立てることは、冷却媒体室を含む冷却ハウジング体を形成し、冷却媒体室の第１の端の近くに第１のスクリーン支持体を形成し、冷却媒体室の第２の端の近くに第２のスクリーン支持体を形成し、冷却媒体室の第１の端の近くにエージェントカップシートを形成することを含む。
【００９４】
例２２は、例１−２１の主題を含むか、あるいは、組み合わされることができ、任意に、第１のスクリーン支持体を形成し、エージェントカップシートを形成することは、冷却媒体室の第１の端近くの第１の変形可能なタブを湾曲させて第１のスクリーン支持体を形成し、冷却媒体室の第１の端近くの第２の変形可能なタブを湾曲させてエージェントカップシートをを形成し、第１の変形可能なタブは、第２の変形可能なタブに対し奥まっていることを含む。
【００９５】
例２３は、例１−２２の主題を含むか、あるいは、組み合わされることができ、任意に、エージェントカップの消防エージェント発生体と、冷却アセンブリ内の冷却媒体間に燃焼室を形成することを含む。
【００９６】
例２４は、例１−２３の主題を含むか、あるいは、組み合わされることができ、任意に、燃焼室を形成することは、冷却アセンブリの冷却ハウジング体の第１のスクリーン支持体を、冷却ハウジング体のエージェントカップシートから離して配置することを含む。
【００９７】
例２５は、例１−２４の主題を含むか、あるいは、組み合わされることができ、任意に、冷却アセンブリの冷却ハウジング体内に間隔部材を形成することを含む。
【００９８】
例２６は、例１−２５の主題を含むか、あるいは、組み合わされることができ、任意に、間隔部材を形成することは、コンテナハウジング体の側壁に、切開されたくぼみを形成することを含む。
【００９９】
例２７は、例１−２６の主題を含むか、あるいは、組み合わされることができ、任意に、発火アセンブリを、エージェントカップ内の消防エージェント発生体と結合することを含む。
【０１００】
例２８は、例１−２７の主題を含むか、あるいは、組み合わされることができ、任意に、少なくとも１つの発火ワイヤを、フィッティングの変形可能な部分とクランプし、発火アセンブリを消防エージェント発生体と結合することは、フィッティングを、コンテナ体と結合される封止キャップと結合することを含む。
【０１０１】
これらの非限定的な例のそれぞれは、それ自体で用いることができ、あるいは、任意の１以上の他の例と置換したり、組み合わせたりすることが出来る。
【０１０２】
上記詳細な説明は、詳細な説明の一部を形成する添付の図面への参照を含んでいる。図面は、本発明を実施することが出来る特定の実施形態を、図示の方法で示す。これらの実施形態は、また、「例」として参照される。そのような例は、図示され、あるいは、説明されたものに追加されるエレメントを含む。しかし、本発明者は、また、図示され、あるいは、説明された、それらのエレメントのみが設けられた、例も考えている。更に、本発明者は、また、図示され、あるいは、説明された、特定の例（あるいは、１以上のその側面）について、あるいは、他の例（あるいは、１以上のそれらの側面）について、図示され、あるいは、説明された、それらのエレメント（１以上のそれらの側面）の任意の組み合わせや置き換えを用いた例も考えている。
【０１０３】
本明細書と、参照文献として併合される任意の文献との間に不整合な使用がある場合には、本明細書の使用が優先される。
【０１０４】
本明細書では、語句「ａ」あるいは「ａｎ」が、特許明細書によくあるように、「少なくとも１つ」あるいは「１以上の」の使用、あるいは、任意の他の例とは独立して、１つあるいは、１以上を含むものとして用いられる。本明細書では、語句「あるいは」は、特に示されない限り、非排他的、すなわち、「ＡあるいはＢ」が、「ＡしかしＢではない」、「ＢしかしＡではない」及び「Ａ及びＢ」を含むものとして使用される。本明細書では、語句「含む」及び「ここにおいて」は、それぞれ語句「備える」及び「ここにおいて」の一般的な英語の等価語として用いられる。また、以下の請求項においては、語句「含む」及び「備える」は、開かれた語句で、つまり、請求項の中で、そのような語句の後にリストされるものに加えたエレメントを含むシステム、装置、製品、化合物、処方あるいは処理は、その請求項の範囲内に入るとみなされる。更に、以下の請求項では、語句「第１の」、「第２の」及び「第３の」などは、ラベル付けのためにのみ用いられ、これらの対象に数字的要求を課すことを意図するものではない。
【０１０５】
上記説明は、提示的なものであり、限定的であることを意図していない。例えば、上記例（あるいは、１以上のその側面）は、互いに組み合わせて使用できるだろう。他の実施形態は、当業者などによれば、上記説明を読めば、使用される事が出来るだろう。要約書は、読者がすばやく技術開示の性質を調べることが出来るように、37 C.F.R. §1.72(b)に従って設けられた。それは、請求項の範囲と意味を解釈し、あるいは、限定するために用いられるものではないという理解を確認する。また、上記詳細な説明では、さまざまな特徴が、開示をスムースにする為に、互いにまとめられている。これは、請求項に開示されていない特徴が、請求項に本質的であることを意図していると解釈されるべきではない。むしろ、発明の主題は、特定の開示された実施形態の全ての特徴よりも少ないものにあるだろう。従って、以下の請求項は、各請求項を自身で個別の実施形態をなすとして、詳細な説明に、例あるいは実施形態として組み込まれ、そのような実施形態は、さまざまな組み合わせ、あるいは、置換によって、相互に組み合わせることができると考えられる。発明の範囲は、添付の請求項を参照して、その請求項が許される均等物の全範囲と共に、決定されるべきである。
（付記１）
少なくとも１つの放出穴を含むコンテナ体と、
コンテナ体内部壁に沿って結合される冷却アセンブリとを含み、前記冷却アセンブリは、
冷却媒体を中に備える冷却ハウジング体と、
エージェントカップシートとを備え、
前記コンテナ体内部壁に沿って結合されたエージェントアセンブリを備え、前記エージェントアセンブリは、
消防エージェント発生体を内部に備えるエージェントカップと、
前記エージェントカップの端近傍のエージェントカップフィッティングとを備え、
前記コンテナ体内部壁と、少なくとも１つの前記冷却ハウジング体と前記エージェントカップとの間に伸びる複数の間隔部材を備え、前記冷却ハウジング体と前記エージェントカップの双方は、前記コンテナ体内部壁から、前記複数の間隔部材によって離されており、
前記コンテナ体内部壁と前記複数の間隔部材間に結合される絶縁層を備え、前記絶縁層の一部は、１以上の前記間隔部材と前記コンテナ体内部壁間にクランプされている、ことを特徴とする消防装置。
（付記２）
前記複数の間隔部材と、前記１以上の前記間隔部材と前記コンテナ体間にクランプされる前記絶縁層は、前記冷却ハウジング体と前記エージェントカップを前記コンテナ体内に固定する、ことを特徴とする付記１に記載の消防装置。
（付記３）
前記クランプされた絶縁層と、前記１以上の間隔部材は、前記冷却ハウジング体と前記エージェントカップを前記コンテナ体内で中心に置くことを特徴とする付記１に記載の消防装置。
（付記４）
前記絶縁層の前記一部は、前記１以上の間隔部材と前記コンテナ体間に圧縮されており、１以上の前記冷却ハウジング体あるいは前記エージェントカップは、前記１以上の間隔部材によって、前記絶縁層の大部分と圧縮されて結合しないようにされている、ことを特徴とする付記１に記載の消防装置。
（付記５）
前記エージェントカップは、カップ実装フランジを含み、前記絶縁層の他の部分は、前記カップ実装フランジと前記コンテナ体内部壁間にクランプされている、ことを特徴とする付記１に記載の消防装置。
（付記６）
前記エージェントカップは、前記エージェントカップフィッティングと、前記冷却媒体上に伸びる前記冷却アセンブリのスクリーンによって、間に形成される燃焼室ギャップによって、前記冷却媒体から離されていることを特徴とする付記１に記載の消防装置。
（付記７）
前記消防エージェント発生体と前記コンテナ体に結合された封止キャップとの間に介在する圧力パッドを備え、前記圧力パッドは、前記エージェントアセンブリと前記コンテナ体内の前記冷却アセンブリを軸方向に固定し、１以上の前記圧力パッド、前記複数の間隔部材、あるいは、前記クランプされた絶縁層は、前記エージェントアセンブリと、前記コンテナ体内の前記冷却アセンブリを固定する、ことを特徴とする付記１に記載の消防装置。
（付記８）
前記消防エージェント発生体内に配置された発火アセンブリを備えることを特徴とする付記１に記載の消防装置。
（付記９）
前記コンテナ体に沿って結合された封止キャップを備え、前記発火アセンブリは、フィッティング内に固定され、前記フィッティングは、前記封止キャップに結合されている、ことを特徴とする付記８に記載の消防装置。
（付記１０）
前記発火アセンブリは、変形可能な熱トリガを含み、前記変形可能な熱トリガの少なくとも一部は、特定の温度で変形し、前記消防エージェント発生体を発火させることを特徴とする付記８に記載の消防装置。
（付記１１）
冷却アセンブリを含む消防装置であって、
前記冷却アセンブリは、
冷却媒体室を含む冷却ハウジング体を備え、前記冷却ハウジング体は、
前記冷却媒体室の第１の端の近くの第１のスクリーン支持体と、
前記冷却媒体室の第２の端の近くの第２のスクリーン支持体と、
前記第１あるいは前記第２の端の近くのエージェントカップシートと、
前記冷却ハウジング体から伸びる複数の間隔部材とを含み、
前記冷却ハウジング体内の冷却媒体を備え、
それぞれ、前記第１と第２のスクリーン支持体の位置で前記冷却ハウジング体に結合したスクリーンを備える、ことを特徴とする消防装置。
（付記１２）
前記冷却ハウジング体は、前記第１と前記第２の端に複数の湾曲可能なタブを含み、少なくとも第１の湾曲可能なタブは、前記第１あるいは第２のスクリーン支持体内部に湾曲され、少なくとも第２の湾曲可能なタブは、前記エージェントカップシート内部に湾曲されていることを特徴とする付記１１に記載の消防装置。
（付記１３）
前記第１あるいは第２のスクリーン支持体に対応する前記第１の湾曲可能なタブは、前記エージェントカップシートに対応する前記第２の湾曲可能なタブに対し、前記第１あるいは前記第２の端から長さ方向に奥まった位置にあることを特徴とする付記１１に記載の消防装置。
（付記１４）
前記複数の湾曲可能なタブは、前記冷却ハウジング体の周りにずらして配置されていることを特徴とする付記１１に記載の消防装置。
（付記１５）
前記複数の間隔部材は、前記冷却ハウジング体内に形成される、切開されたくぼみを含むことを特徴とする付記１１に記載の消防装置。
（付記１６）
消防エージェント発生体を内部に有し、前記エージェントカップシート内に受けられるエージェントカップフィッティングを含むエージェントカップと、
コンテナ体内部壁を有するコンテナ体を備え、前記エージェントカップと前記冷却アセンブリは、前記コンテナ体内部壁に沿って、前記コンテナ体内で結合されることを特徴とする付記１１に記載の消防装置。
（付記１７）
前記エージェントカップと前記冷却ハウジング体の周りに伸びる絶縁層を備え、前記絶縁層の一部は、前記複数の間隔部材と前記コンテナ体内部壁間で圧縮され、前記圧縮された絶縁層は、１以上の前記冷却ハウジング体あるいは前記エージェントカップを固定し、支持することを特徴とする付記１６に記載の消防装置。
（付記１８）
消防装置を製造する方法であって、
冷却コンテナ体内で冷却アセンブリを位置決めし、
前記冷却アセンブリ内に、消防エージェント発生体を含むエージェントカップを配置し、
前記コンテナ体内部壁と、１以上の前記冷却アセンブリあるいは前記エージェントカップとの間に伸びる間隔部材を用いて、前記コンテナ体内部壁から、１以上の前記冷却アセンブリあるいは前記エージェントカップを離して配置し、
前記コンテナ体内部壁と前記間隔部材間の絶縁層をクランプすることにより、前記コンテナ体内部壁に沿って、１以上の前記冷却アセンブリあるいは前記エージェントカップを固定する、ことを特徴とする方法。
（付記１９）
１以上の前記冷却アセンブリあるいは前記エージェントカップを離して配置することは、前記冷却アセンブリから伸びる前記間隔部材を用いて、前記コンテナ体内部壁から前記冷却アセンブリを離して配置し、
前記コンテナ体内部壁から前記エージェントカップを離して配置することを含み、前記エージェントカップは、前記冷却アセンブリから伸び、前記冷却アセンブリのエージェントカップシート内の前記エージェントカップのエージェントカップフィッティングの配置によって横方向の位置決めをする前記間隔部材に従って、離して配置されることを特徴とする付記１８に記載の方法。
（付記２０）
１以上の前記冷却アセンブリあるいは前記エージェントカップを固定することは、前記間隔部材と前記コンテナ体内部壁間の前記絶縁層の一部をクランプすることと、
前記絶縁層の残り部分を圧縮から隔離することを含み、前記間隔部材は、１以上の前記エージェントカップあるいは、前記冷却アセンブリの冷却ハウジング体を、圧縮されて前記絶縁層と結合されないようにすることを特徴とする付記１８に記載の方法。
（付記２１）
前記冷却アセンブリを組み立てることを含み、前記冷却アセンブリを組み立てることは、
冷却媒体室を含む冷却ハウジング体を形成することと、
前記冷却媒体室の第１の端の近くに第１のスクリーン支持体を形成することと、
前記冷却媒体室の第２の端の近くに第２のスクリーン支持体を形成することと、
前記冷却媒体室の前記第１の端の近くにエージェントカップシートを形成することを含むことを特徴とする付記１８に記載の方法。
（付記２２）
前記第１のスクリーン支持体を形成し、かつ、前記エージェントカップシートを形成することは、
前記第１のスクリーン支持体を形成するために、前記冷却媒体室の前記第１の端の近くの第１の変形可能なタブを湾曲させることと、
前記エージェントカップシートを形成するために、前記冷却媒体室の前記第１の端の近くの第２の変形可能なタブを湾曲させることを含み、前記第１の変形可能なタブは、前記第２の変形可能なタブに対し奥まっている、ことを特徴とする付記２１に記載の方法。
（付記２３）
前記エージェントカップの前記消防エージェント発生体と前記冷却アセンブリ内の冷却媒体との間に燃焼室を形成することを含むことを特徴とする付記１８に記載の方法。 
（付記２４）
前記燃焼室を形成することは、前記冷却アセンブリの冷却ハウジング体の第１のスクリーン支持体を、前記冷却ハウジング体のエージェントカップシートから離して配置することを含むことを特徴とする付記２３に記載の方法。
（付記２５）
前記間隔部材を、前記冷却アセンブリの冷却ハウジング体内に形成することを含むことを特徴とする付記１８に記載の方法。
（付記２６）
前記間隔部材を形成することは、前記コンテナハウジング体の側壁に、切開されたくぼみを形成することを含むことを特徴とする付記２５に記載の方法。
（付記２７）
発火アセンブリを、前記エージェントカップ内の消防エージェント発生体と結合することを含むことを特徴とする付記１８に記載の方法。
（付記２８）
少なくとも１つの発火ワイヤを、フィッティングの変形可能な部分にクランプすることを含み、前記発火アセンブリを、前記消防エージェント発生体と結合することは、前記フィッティングを、前記コンテナ体と結合される封止キャップと結合することを含むことを特徴とする付記２７に記載の方法。
【図１】
0005671653.tif 000002
【図２】
0005671653.tif 000003
【図３】
0005671653.tif 000004
【図４Ａ】
0005671653.tif 000005
【図４Ｂ】
0005671653.tif 000006
【図５Ａ】
0005671653.tif 000007
【図５Ｂ】
0005671653.tif 000008
【図５Ｃ】
0005671653.tif 000009
【図５Ｄ】
0005671653.tif 000010
【図５Ｅ】
0005671653.tif 000011
【図６Ａ】
0005671653.tif 000012
【図６Ｂ】
0005671653.tif 000013
【図６Ｃ】
0005671653.tif 000014
【図６Ｄ】
0005671653.tif 000015
【図７Ａ】
0005671653.tif 000016
【図７Ｂ】
0005671653.tif 000017
【図７Ｃ】
0005671653.tif 000018
【図７Ｄ】
0005671653.tif 000019
【図８】
0005671653.tif 000020
【図９】
0005671653.tif 000021
【図１０Ａ】
0005671653.tif 000022
【図１０Ｂ】
0005671653.tif 000023
【図１０Ｃ】
0005671653.tif 000024
【図１１Ａ】
0005671653.tif 000025
【図１１Ｂ】
0005671653.tif 000026
【図１２】
0005671653.tif 000027